(57)【特許請求の範囲】
【請求項１】
本体と、前記本体内部に電磁誘導によって被加熱物を加熱するための加熱コイルと前記電磁誘導を行うための制御回路とを有し、操作部分には前記本体に接着するシート状で透明な表示窓を有する操作パネルを設け、表示部分にはＬＣＤを用い、前記操作パネルと前記ＬＣＤとの間には前記ＬＣＤを保護するための厚肉構成の透明樹脂の保護カバーを設け、前記保護カバーには裏面に表示手段を施すとともに、前記保護カバーには、夜光塗料による色表示を行う誘導加熱調理器。
【請求項２】
保護カバーには、裏面に印刷などの表示手段による火力表示を施した請求項１記載の誘導加熱調理器。
【請求項３】
本体と、前記本体内部に電磁誘導によって被加熱物を加熱するための加熱コイルと前記電磁誘導を行うための制御回路とを有し、操作部分には前記本体に接着するシート状で透明な表示窓を有する操作パネルを設け、表示部分にはＬＣＤを用い、前記操作パネルと前記ＬＣＤとの間には前記ＬＣＤを保護するための厚肉構成の透明樹脂の保護カバーを設け、前記保護カバーには、裏面に表示手段を施すとともに、前記保護カバー天面部分および、前記操作パネルの透明な表示窓部分に、外方への凸加工部を設け、前記保護カバーを前記操作パネルの前記凸加工部の内側に沿わせ、前記操作パネルの前記凸加工部の立ち面部を不透明にした誘導加熱調理器。
【請求項４】
ＬＣＤは、バックライトＬＣＤを用いた請求項３記載の誘導加熱調理器。
【発明の詳細な説明】
【０００１】
【発明の属する技術分野】
本発明は、一般家庭用の誘導加熱調理器に関するもので特に表示に関する。
【０００２】
【従来の技術】
従来の誘導加熱調理器の構成を、図６に示す。図６（ａ）加熱調理器の全体構成を説明する上面図、（ｂ）は本体の要部断面図である。図に示すように、本体３１内部には電磁誘導によって被加熱物を加熱するための加熱コイル３２と、前記電磁誘導を行うための制御回路３３とを備え、操作部分には操作パネル３４と下方にＬＣＤ３７を設け、かつ操作パネル３４とＬＣＤ３７の間には、ＬＣＤ３７の保護カバー３６を設けたものである。
【０００３】
この構成によれば、図６に示すように操作パネル３４とＬＣＤ３７の間に介在するＬＣＤ３７の保護カバー３６は、薄肉で構成されているものが一般的である。
【０００４】
【発明が解決しようとする課題】
しかしながら、前記のように構成された誘導加熱調理器の操作部では、操作パネルとＬＣＤの間に介在するＬＣＤの表面保護カバーは薄肉であるため、操作パネルの窓部分は強度が低く、外郭からの外力に対して強度不足ということ、また、ＬＣＤ表示の操作パネル透明窓部分に、印刷、着色等を施した場合には、透明窓部分とＬＣＤに一定の距離があるため、ＬＣＤと操作パネルの表示との間に視覚上のずれがあり、またＬＣＤ表示に対する視認性の確保が困難であるという問題があった。
【０００５】
本発明は、前記した課題を解決するもので、ＬＣＤの視認性の確保と、保護カバーの厚肉構成から得られる操作パネルとの距離感による高級感を出すことおよび強度の確保を目的とするものである。
【０００６】
【課題を解決するための手段】
前記課題を解決するために本発明は、本体と、本体内部に電磁誘導によって被加熱物を加熱するための加熱コイルと前記電磁誘導を行うための制御回路とを有し、操作部分には前記本体に接着するシート状で透明な表示窓を有する操作パネルを設け、表示部分にはＬＣＤを用い、前記操作パネルと前記ＬＣＤとの間には前記ＬＣＤを保護するための厚肉構成の透明樹脂の保護カバーを設け、前記保護カバーには裏面に表示手段を施すとともに、前記保護カバーには、夜光塗料による色表示を行うようにした。
【０００７】
このことにより、外郭からの外力に対する強度の確保、かつ厚肉の保護カバーの裏面から表示手段を施こすことで、ＬＣＤの視認性の確保と、厚肉構成から得られる操作パネルとの距離感による高級感を出すことができる。
【０００８】
また、このことにより、ＬＣＤが調理鍋や調理プレートの影に隠れた際に、夜光塗料による発光効果によって、暗所における視認性を促進できる。
【０００９】
【発明の実施の形態】
本発明の請求項１に記載の発明は、本体と、前記本体内部に電磁誘導によって被加熱物を加熱するための加熱コイルと前記電磁誘導を行うための制御回路とを有し、操作部分には前記本体に接着するシート状で透明な表示窓を有する操作パネルを設け、表示部分にはＬＣＤを用い、前記操作パネルと前記ＬＣＤとの間には前記ＬＣＤを保護するための厚肉構成の透明樹脂の保護カバーを設け、前記保護カバーには裏面に表示手段を施すとともに、前記保護カバーには、夜光塗料による色表示を行うようにした。
【００１０】
このことにより、外郭からの外力に対する強度の確保、かつ厚肉の保護カバーの裏面から表示手段を施こすことで、ＬＣＤ視認性の確保と、厚肉構成から得られる操作パネルとの距離感による高級感を出すことができる。
【００１１】
また、このことにより、ＬＣＤが調理鍋や調理プレートの影に隠れた際に、夜光塗料による発光効果によって、暗所における視認性を促進できる。
【００１２】
請求項２に記載の発明は、請求項１記載の構成において、保護カバーには、裏面から印刷などの表示手段による表示を行う請求項１に記載の誘導加熱調理器とする。
【００１３】
このことにより、ＬＣＤを点灯する前にどのような表示がされるかを確認することができると同時に、ＬＣＤの表示内容を削減できるため、ＬＣＤのコストダウンを可能にする。
【００１４】
請求項３に記載の発明は、本体と、前記本体内部に電磁誘導によって被加熱物を加熱するための加熱コイルと前記電磁誘導を行うための制御回路とを有し、操作部分には前記本体に接着するシート状で透明な表示窓を有する操作パネルを設け、表示部分にはＬＣＤを用い、前記操作パネルと前記ＬＣＤとの間には前記ＬＣＤを保護するための厚肉構成の透明樹脂の保護カバーを設け、前記保護カバーには、裏面に表示手段を施すとともに、前記保護カバー天面部分および、操作パネルの透明な表示窓部分に、外方への凸加工部を設け、前記保護カバーを前記操作パネルの前記凸加工部の内側に沿わせ、前記操作パネルの前記凸加工部の立ち面部を不透明にした。
【００１５】
このことにより、操作パネルと保護カバー裏面からの印刷効果によって、より距離間隔を持たせることができ、高い立体感を出すことで、高級感を高めることができる。
【００１６】
また、このことにより、操作パネルと保護カバー裏面からの印刷状態において、広い範囲からの視認性を高めることができる。
【００１７】
請求項４に記載の発明は、請求項３記載の構成において、ＬＣＤは、バックライトＬＣＤを用いたものである。
【００１８】
このことにより、凸加工部の立ち面全部分あるいは一部分の不透明部が、バックライトＬＣＤの光を外へ逃がしにくくするため、視認性を高め、ＬＣＤのバックライト効果を高めることができる。
【００１９】
【実施例】
以下本発明の実施例について、図面を参照して説明する。
【００２０】
（実施例１）
以下、本発明の実施例１について、図１により説明する。図１（ａ）は誘導加熱調理器の全体構成を示す上面図、（ｂ）は表示部分の断面図、（ｃ）は保護カバーの平面図を示す。
【００２１】
本実施例においては、図１に示すように、本体１内部に、電磁誘導によって加熱するための加熱コイル２と、前記電磁誘導を行うための制御回路３とを有し、操作部分には透明窓５を有した操作パネル４を設け、表示部分としてＬＣＤ７を用い、操作パネル４とＬＣＤ７の間には、ＬＣＤ７を保護するため、厚肉構成の透明樹脂の保護カバー６を設け、保護カバー６には、裏面から表示手段８を施した構成である。
【００２２】
この構成において、厚肉構成の保護カバー６は、外郭からの外力に対する強度の確保、および裏面から表示手段８を施こすことによるＬＣＤ７の視認性の確保と、厚肉構成から得られる操作パネル４との距離感による高級感を出すことができる。
【００２３】
（実施例２）
以下、本発明の実施例２について、図２により説明する。図２（ａ）は保護カバーの平面図、（ｂ）は保護カバーの側面図を示す。基本的な構成は実施例１と同じであるので説明は省略する。本実施例においては、図に示すように、操作部分に操作パネル４を設け、表示部分にはＬＣＤ７を用い、操作パネル４とＬＣＤ７の間には、ＬＣＤ７を保護するため、厚肉構成の透明樹脂の保護カバー６を設け、保護カバー６には、裏面から印刷などの表示手段によるたとえば火力表示９を行う構成である。
【００２４】
この構成において、保護カバー６の、裏面からの印刷などによる火力表示９により、ＬＣＤ７を点灯する前にどのような表示がされるかを予め確認することができると同時に、ＬＣＤ７の表示内容を削減できるため、ＬＣＤ７のコストダウンを可能にすることができる。
【００２５】
（実施例３）
本発明の実施例３について、図２（ｃ）により説明する。図２（ｃ）は保護カバーの平面図を示す。本実施例においては、図に示すように、保護カバー６には、夜光塗料による色表示１０を行う構成のものである。
【００２６】
この構成において、ＬＣＤ７が、被加熱物の影に隠れた際に、夜光塗料による発光効果によって、視認性を促進できる。
【００２７】
（実施例４）
本発明の実施例４について、図３により説明する。図３（ａ）（ｂ）は、操作パネルの表示部分の断面図である。本実施例においては、図に示すように、保護カバー６は天面部分または、操作パネルの透明窓５部分に、上方に凸加工部１２を設け、保護カバー６を操作パネルの透明窓５の凸加工部１２に沿わせた構成のものである。
【００２８】
この構成において、操作パネルの透明窓５と保護カバー６裏面からの印刷効果によって、より距離間隔を持たせることができ、高い立体感を出すことで、高級感を高めることができる。また、他の実施例として、図３（ｂ）に示すように、凸加工部１２を凸レンズ状にすればＬＣＤ７の文字を拡大表示可能となり、視認性をより高める。
【００２９】
（実施例５）
本発明の実施例５について、図４により説明する。図４（ａ）、（ｂ）は、操作パネルの表示部分の断面図である。本実施例において、図４に示すように、操作パネル４の凸加工部１２の立ち面１３全部、または立ち面の一部分を不透明にした構成のものとする。
【００３０】
この構成で、操作パネル４と保護カバー６裏面からの印刷効果において、広い範囲からの視認性を高めることができる。
【００３１】
（実施例６）
本発明の実施例６について、図５により説明する。図５（ａ）、（ｂ）は、操作パネルの表示部分の断面図である。本実施例において、図５に示すように、操作パネルの透明射窓５部分の凸加工部１２の立ち面１３全部分、または、立ち面の一部分を不透明にして、バックライトＬＣＤ１４を用いた構成のものである。
【００３２】
この構成において、凸加工部１２の立ち面１３全部分あるいは立ち面の一部分の不透明部が、バックライトＬＣＤ１４の光を逃がしにくくするため、厚肉の保護カバー６を介する状態で、視認性を高め、ＬＣＤのバックライト効果を高めることができる。
【００３３】
【発明の効果】
請求項１記載の発明によれば、ＬＣＤ視認性の確保と、厚肉構成から得られる操作パネルとの距離感による高級感を出す。
【００３４】
また、ＬＣＤが調理鍋や調理プレートの影に隠れた際に、夜光塗料による発光効果によって、視認性を促進できる。
【００３５】
請求項２記載の発明によれば、ＬＣＤを点灯する前にどのような表示がされるかを確認することができると同時に、ＬＣＤの表示内容を削減できるため、ＬＣＤのコストダウンができる。
【００３６】
請求項３記載の発明によれば、操作パネルと保護カバー裏面からの印刷効果によって、より距離を持たせることができ、高い立体感を出すことで、高級感が高められる。
【００３７】
また、操作パネルと保護カバー裏面からの印刷状態において、広い範囲からの視認性が高められる。
【００３８】
請求項４記載の発明によれば、凸加工部の立ち面全部分の不透明部が、バックライトＬＣＤの光を逃がしにくくするため、ＬＣＤのバックライト効果を高める。
【図面の簡単な説明】
【図１】  （ａ）本発明の実施例１における誘導加熱調理器の本体の構成図
（ｂ）同操作パネルの表示部分の断面図
（ｃ）同保護カバーの平面図
【図２】  （ａ）本発明の実施例２における誘導加熱調理器の保護カバーの平面図
（ｂ）本発明の実施例２における誘導過熱調理器の保護カバーの側面図
（ｃ）本発明の実施例３における誘導加熱調理器の保護カバーの平面図
【図３】  （ａ）本発明の実施例４における誘導加熱調理器の表示部分の断面図
（ｂ）同他の形状の表示部分の断面図
【図４】  （ａ）本発明の実施例５における誘導加熱調理器の表示部分の断面図
（ｂ）同他の構成の表示部分の断面図
【図５】  （ａ）本発明の実施例６における誘導加熱調理器の表示部分の断面図
（ｂ）同他の構成の表示部分の断面図
【図６】  （ａ）従来例の誘導加熱調理器の構成図
（ｂ）同要部断面図
【符号の説明】
１  本体
２  加熱コイル
３  制御回路
４  操作パネル
５  操作パネルの透明窓
６  保護カバー
７  ＬＣＤ
８  表示手段
９  火力表示
１０  色表示
１２  凸加工部
１３  立ち面
１４  バックライトＬＣＤ
【図１】
0003788291.tif 000002
【図２】
0003788291.tif 000003
【図３】
0003788291.tif 000004
【図４】
0003788291.tif 000005
【図５】
0003788291.tif 000006
【図６】
0003788291.tif 000007